(57)【要約】【課題】競技者が倒れ込んでも痛くなく、けがをしにくいとともに、かさばらず、破損しにくい競技用標識具を提供する。【解決手段】布製、紙製、薄膜製またはフィルム製の円錐体形状の袋であって、開閉自在部を有する競技用標識具である。【選択図】　図１
2004041334.tif 000002
【特許請求の範囲】
【請求項１】
布製、紙製、薄膜製またはフィルム製の円錐体形状の袋であって、開閉自在部を有する競技用標識具。
【請求項２】
開閉自在部がジッパーを備えた直線状開口である請求項１に記載の競技用標識具。
【請求項３】
大底部が有底であり、小底部が開口されている第１の截頭円錐体部と、その小底部に一端が接続される円柱状の接続部と、大底部及び小底部が開口されている截頭円錐体であって、その小底部が接続部の他端に接続されている第２の截頭円錐部と、を有する布製、紙製、薄膜製またはフィルム製の袋体と、
接続部を閉鎖する閉鎖手段と、
を備えた競技用標識具。
【請求項４】
第１の截頭円錐体部の大底部にウレタン製、発泡スチロール製、ゴム製の円板が取り付けられていることを特徴とする請求項３に記載の競技用標識具。
【請求項５】
閉鎖手段が、紐、ベルト、チェーン等の巻圧具、またはクリップ、はさみ等の挟圧具である請求項３または４に記載の競技用標識具。
【発明の詳細な説明】
【０００１】
【発明の属する技術分野】
本発明は、野球、サッカー、ゴルフ、バスケットボール、フライングディスク、ビーチバレー、競走、マラソン、ノルディック・スキーなどの競技に用いられる競技用標識具に関する。
【０００２】
【従来の技術】
図６は従来の競技用標識具の斜視図である。中空の截頭円錐体部５１と、四隅近くに貫通孔５２１を備えた平板部５２と、からなり、平板部５２の中央に截頭円錐体部５１の大底面５１３を載せ結合した構造である。大底面５１３は開口している。小底面５１１は開口してもよいし、円板で閉鎖されていてもよい。截頭円錐体部５１の側面５１２や平板部５２は強度のあるプラッスチックでできている。そして、平板部５２の裏を地面上や床上に置き、截頭円錐体部５１を直立させて標識として使用する。従来の競技用標識具においては、風が吹いたり、競技者がぶつかると簡単に移動してしまう。そこで、従来の競技用標識具を固定するために、地面上で用いる場合には、貫通孔５２１を通して、くぎまたはペグ６を地面に打ち込んでいる。
【０００３】
また、競技を行う範囲が長方形や正方形であり、その４つの角に１つずつ、計４個の競技用標識具を設置することが多い。そのため、従来の競技用標識具は４個をセットとして、図７に示すように積み重ねた状態で競技を行う場所へ持ち運んでいた。
【０００４】
【発明が解決しようとする課題】
従来の競技用標識具は、円錐体の頂部を切除して安全を考慮しているものの、競技者が競技用標識具の上に倒れると、競技者にとって、痛く、けがをしやすいとともに、競技用標識具が破損しやすく問題である。
【０００５】
また、従来の競技用標識具はかさばり持ち運ぶのに不便であり、広い収納スペースが必要であり問題である。
【０００６】
よって、本発明の目的は、競技者が倒れ込んでも痛くなく、けがをしにくいとともに、かさばらず、破損しにくい競技用標識具を提供することにある。
【０００７】
【課題を解決するための手段】
上記目的は、請求項１に記載の本発明に係る競技用標識具、すなわち、布製、紙製、薄膜製またはフィルム製の円錐体形状の袋であって、開閉自在部を有する競技用標識具によって、達成される。
【０００８】
また、上記目的は、請求項３に記載の本発明に係る競技用標識具、すなわち、大底部が有底であり、小底部が開口されている第１の截頭円錐体部と、その小底部に一端が接続される円柱状の接続部と、大底部及び小底部が開口されている截頭円錐体であって、その小底部が接続部の他端に接続されている第２の截頭円錐部と、を有する布製、紙製、またはフィルム製の袋体と、接続部を閉鎖する閉鎖手段と、を備えた競技用標識具によっても、達成される。
【０００９】
【発明の実施の形態】
以下、本発明の実施形態について、添付図面を参照して、詳細に説明する。
【００１０】
第１実施形態
図１は第１実施形態に係る競技用標識具の使用方法を示す説明図である。第１実施形態の競技用標識具１は円錐体形の袋であり、ナイロン糸を織って製造されたナイロン布でできている。頂点近くに円周方向に沿ってジッパー２が取り付けられており、側面はジッパー２によって下側面１１と上側面１２に区切られている。ジッパー２は一周にわたっていてもよいし、あるいは、図１に示すように、ジッパー２が一周に及ばず、布が一部残っていてもよい。底面１３の下にはやや厚いウレタン製の円板１４が密接して縫製されている。
【００１１】
（ａ）は、競技用標識具１の中が空であり、ジッパー２が閉じた状態を示す斜視図である。材質が布であるため、柔軟であり、折れ曲がりやすく、折りたたんで小さくすることも可能である。
【００１２】
（ｂ）は、ジッパー２を開き、上側面１２を倒して、その開口から砂３を競技用標識具１の内部に注ぎ入れている状態を示す斜視図である。底面１３及び下側面１１によって砂３は受けとめられ、砂３が競技用標識具１の内部に蓄積される。
【００１３】
（ｃ）は、内部に砂３を十分に蓄積した後に、ジッパーを閉じた状態を示す斜視図である。内部の砂３によって競技用標識具１は変形しにくくなり、また、風が吹いても吹き飛ばされにくい。
【００１４】
第２実施形態
図２は第２実施形態に係る競技用標識具の斜視図である。第２実施形態に係る競技用標識具１は、円錐体形の袋であり、防水処理を施した紙製である。底面１３の下にはやや厚い発泡スチロール製の円板１４が貼り付けられている。側面１０には、側線に沿ってジッパー２が取り付けられ、開閉自在となっている。
【００１５】
側線に沿ったジッパー２を開いて、その開口から不図示の土等を内部に注ぎ入れて、内部に十分な量の土が蓄積された後に、ジッパー２を閉じる。
【００１６】
第３実施形態
図３は第３実施形態に係る競技用標識具の斜視図である。第３実施形態に係る競技用標識具１は、円錐体形の袋であり、プラスチック・フィルム製である。底面１３には、直径方向に伸びるジッパー２が取り付けられ、開閉自在となっている。
【００１７】
底面の直径方向に伸びるジッパー２を開いて、その開口から不図示の砂利等を内部２に注ぎ入れて、内部に十分な量の砂利が蓄積された後に、ジッパー２を閉じる。
【００１８】
第４実施形態
図４は、第４実施形態に係る競技用標識具の使用方法を示す説明図である。第４実施形態の競技用標識具４は、第１の截頭円錐体部４１と、接続部４２と、第２截頭円錐体部４３と、紐４４と、からなる。第１の截頭円錐体部４１は、大底部４１０が有底であり、小底部４１１が開口している。４１２は側面である。接続部４２は、上底４２１及び下底４２２ともに開口している。側面４２３には、紐４４を通すための複数の紐ガイド４２４が取り付けられている。代わりに、側面４２３に複数の小孔（不図示）を貫通し、紐を縫うように通してもよい。大底部４１０の下には、ウレタン製の円板が縫い付けられている。
【００１９】
第２の截頭円錐体部４３は、大底部４３１及び小底部４３２ともに開口している。４３３は側面である。
【００２０】
第１の截頭円錐体部４１の小底部４１１は、接続部４２の下底４２２と縫い付けられ接合されている。そして、接続部４２の上底４２１は、第２の截頭円錐体部４３の小底部４３２と縫い付けられ接合されている。
【００２１】
第４実施形態に係る競技用標識具は、上記のような構造であるから、鼓状の袋となっている。材質はナイロン繊維を織ったナイロン布である。
【００２２】
（ａ）は、紐４４を紐ガイド４２４に通し、紐を緩めて、接続部４２を開いた状態を示している。内部は空になっているので、柔軟であり、折れ曲がりやすい。
【００２３】
（ｂ）は、第２の截頭円錐体部４３の開口から、砂利３１を内部に注ぎ入れている状態を示している。第１の截頭円錐体部４１の底面４１０と側面４１２に囲まれた部分に砂利３１は収納され蓄積される。
【００２４】
（ｃ）は、紐４４を縛って、接続部４２を閉鎖した状態を示している。砂利３１を第１の截頭円錐体部４１の小底部４１１近くまで蓄積した後に、紐４４を引張り絞り結び、接続部４２を閉鎖している。接続部４２を閉鎖する他の実施態様として、ベルトやチェーンを巻き締めても良く、結ぶばかりでなく、部品によって締止めても良い。また、クリップ、挟み付け具を用いて接続部４２を挟み付けて閉鎖しても良い。
【００２５】
（ｄ）は第２の截頭円錐体部を折り返した状態を示す。すると、円錐体形の標識具となる。
【００２６】
図５は第４実施形態に係る競技用標識具の第２の截頭円錐部の変形例を示す概略図である。
【００２７】
（ａ）は第２の截頭円錐体部の内面が８本の側線によって等間隔に分割されており、各部分に着色されていて、デザインとしての効果と目立つので識別しやすいという効果とを強化している。
【００２８】
（ｂ）は第２の截頭円錐体部の大底部近くの側面に等間隔で短い切り込みが形成され、花びらのような形状となっている。
【００２９】
（ｃ）は第２の截頭円錐体部の大底部が傾いており、側面の長さが一定でない形状となっている。
【００３０】
第１から第４の実施形態に係る競技用標識具は、内部が空の状態では折りたたむことができ、小さくすることができる。したがって、かさばらずに持ち運んだり、貯蔵することが容易である。
【００３１】
また、競技場のトラックやフィールド、あるいは、ゴルフ場、野球場、サッカー場、砂浜のビーチバレーコート、テニスコート、マラソン・コース、ノルディク・スキー・コース、ハイキング・コース、登山路などの設置現場で、砂、砂利、土、雪などを内部に十分な量を注ぎ入れた後に、閉じると標識具がいつでも誰でもどこでも簡単に作ることができる。内部の砂、砂利、土、雪によって、ある程度の重量があり、風が吹いても吹き飛ばされることがなく、移動しにくいとともに、誤って競技者が標識具の上へ倒れ込んでも、砂などを内部に収納した布等の袋であるため、あまり痛くなく、ケガをしにくい。また、標識具も破損しにくい。
【００３２】
使用後は、開いて、砂などを出して取り除けばよく、砂などの廃棄はしやすい。その後は折りたたんで小さくすることができ持ち帰りも楽である。
【００３３】
【発明の効果】
本発明に係る競技用標識具は、布製、紙製、薄膜製またはフィルム製の袋であるので、内部が空の状態では軽く、折り畳んで小さくすることができ、持ち運びが楽であるとともに、狭いスペースに貯蔵できるという効果が得られる。
【００３４】
本発明に係る競技用標識具は、開閉自在部を有する袋であるので、内部に砂等を収納することができ、適度の重量が得られ風に吹き飛ばされたり、移動しにくいとともに、競技者がその上に倒れても、あまり痛くなく打撲が生じにくく、大きなケガをしにくいという効果が得られる。
【００３５】
さらに本発明に係る競技用標識具は、開閉自在部を有する袋であるので、設置現場近くで簡単に得られる砂、土などを内部に注入し、標識具を簡単に作ることができるとともに、使用後は、開閉自在部を開けて、砂などを取り出し、設置場所近くに投棄しやすいという効果が得られる。
【図面の簡単な説明】
【図１】第１実施形態に係る競技用標識具の使用方法を示す説明図である。（ａ）は競技用標識具１の中は空であり、ジッパー２が閉じた状態を示す斜視図である。（ｂ）は、ジッパー２を開き、上側面１２を倒して、その開口から砂３を競技用標識具１の内部に注ぎ入れている状態を示す斜視図である。（ｃ）は、内部に砂３を十分に蓄積した後に、ジッパーを閉じた状態を示す斜視図である。
【図２】第２実施形態に係る競技用標識具の斜視図である。
【図３】第３実施形態に係る競技用標識具の斜視図である。
【図４】第４実施形態に係る競技用標識具の使用方法を示す説明図である。（ａ）は、紐４４を紐ガイド４２４に通し、紐を緩めて、接続部４２を開いた状態を示している。（ｂ）は、第２の截頭円錐体部４３の開口から、砂利３１を内部に注ぎ入れている状態を示している。（ｃ）は、紐４４を縛って、接続部４２を閉鎖した状態を示している。（ｄ）は第２の截頭円錐体部を折り返した状態を示す。
【図５】第４実施形態に係る競技用標識具の第２の截頭円錐部の変形例を示す概略図である。
【図６】従来の競技用標識具の斜視図である。
【図７】従来の競技用標識具を競技場所へ持ち込む状態を示す図である。
【符号の説明】
１　競技用標識具
１０　側面
１１　下側面
１２　上側面
１３　底面
１４　円板
２　ジッパー
３　砂
３１　砂利
４　競技用標識具
４１　第１の截頭円錐体部
４１０　大底部
４１１　小底部
４１２　側面
４２　接続部
４２１　上底
４２２　下底
４２３　側面
４２４　紐ガイド
４３　第２截頭円錐体部
４３１　大底部
４３２　小底部
４３３　側面
４４　紐
５１　截頭円錐体部
５１１　小底面
５１２　側面
５１３　大底面
５２　平板部
５２１　貫通孔
６　ペグ
【図１】
2004041334.tif 000003
【図２】
2004041334.tif 000004
【図３】
2004041334.tif 000005
【図４】
2004041334.tif 000006
【図５】
2004041334.tif 000007
【図６】
2004041334.tif 000008
【図７】
2004041334.tif 000009